(57)【要約】      （修正有）【課題】簡単な操作で雨傘に付着した雨水を除去することができる雨傘脱水装置を提供する。【解決手段】雨水脱水装置は、円筒形の収容体１と、収容体内部に設置される回転機構２と、収容体の底縁に設けられる水受け皿３と、を含む。収容体には、位置決め部材４が設けられる。回転機構２には、挿入部２１が設けられる。挿入部２１の内縁には、テーパー形状の鋸歯部２１１が設けられる。挿入部２１の底縁には、伝動部材２２が設けられる。使用する際、雨傘のロッド先端部を挿入部２１に挿入し、位置決め部材４によって雨傘を位置決めする。次に、伝動部材２２によって挿入部２１を高速回転させることにより、雨傘に付着した雨水を遠心力で除去して収容体の底縁の水受け皿３に落下させる。【選択図】図２
0003192706.tif 000002
【実用新案登録請求の範囲】
【請求項１】
収容体、位置決め部材及び回転機構を備える雨傘脱水装置であって、
前記収容体は、開閉可能な本体から構成され、前記収容体の底部には、長方形の開孔が設けられ、前記開孔には、水受け皿が設置され、
前記位置決め部材は、前記本体の内縁に設けられ、前記位置決め部材には、横ロッドが設けられ、前記横ロッドには、円形枠が設けられ、前記円形枠には、複数の対称に配列され、弾性を有するガイドローラが設けられ、
前記回転機構は、前記収容体内に設けられ、前記回転機構には、挿入部が設けられ、前記挿入部の内縁には、テーパー形状の複数の鋸歯部が設けられ、前記挿入部の底縁には、伝動部材が設けられ、前記伝動部材には、制御回路が接続され、
使用する際、前記収容体の２つの対称の半円筒形の前記本体を開き、雨傘のロッド先端部を前記挿入部に挿入し、前記本体を閉めた後、前記位置決め部材のガイドローラによって雨傘を位置決めし、前記伝動部材を起動して前記挿入部を高速回転させることにより、雨傘に付着した雨水を遠心力で除去し、前記収容体の底縁の水受け皿に落下させることができ、これにより、雨天時に雨傘を室外から室内に持って入る際、雨傘に付着した雨水を除去することができ、雨水が床に落下するのを防止することができることを特徴とする雨傘脱水装置。
【請求項２】
前記位置決め部材の横ロッドがスライドロッドに設けられることにより、前記横ロッドを前記スライドロッドに沿って上下に高さを調整することができ、様々な長さの雨傘に対応することができることを特徴とする請求項１に記載の雨傘脱水装置。
【請求項３】
前記伝動部材は、モータであることを特徴とする請求項１に記載の雨傘脱水装置。
【考案の詳細な説明】
【技術分野】
【０００１】
本考案は、雨傘脱水装置に関し、特に、雨天時に雨傘を室外から室内に持って入る際、雨傘に付着した雨水を除去できることにより、雨水が床に落下するのを防止することができる雨傘脱水装置に関する。
【背景技術】
【０００２】
一般に、雨天時に雨傘を室外から室内に持って入る際、手で雨傘を振って雨水を除去してから室内に入る。しかし、この方式では、雨傘に付着した雨水を完全に除去することができないため、雨水が床に落下して水が溜まってしまい、床が滑りやすくなって危険である。このため、商店、オフィスビル、公共場所なでの入口には、濡れた雨傘を入れるためのビニール袋が準備されている。これにより、雨水が床に落下するのを防止することができる。しかし、使用上不便である上、ビニール袋が大量に使用されるため、環境保護の観点から好適ではない。本考案の出願者は、この問題に鑑み、長年に渡る経験、研究、実験及び改良を経て、雨天時に雨傘を室外から室内に持って入る際、雨傘に付着した雨水を簡単な操作で除去することができる装置を案出した。
【先行技術文献】
【特許文献】
【０００３】
【特許文献１】特開２００１−２８９５５９号公報
【考案の概要】
【考案が解決しようとする課題】
【０００４】
雨天時に雨傘を室外から室内に持って入る際、簡単な操作で雨傘に付着した雨水を除去し、雨水が床に落下するのを防止することができ、ビニール袋を使用しなくてもよいため、環境保護に寄与することができる雨傘脱水装置を提供することにある。
【課題を解決するための手段】
【０００５】
上述の課題を解決するために、本考案の雨水脱水装置は、円筒形の収容体と、収容体内部に設置される回転機構と、収容体の底縁に設けられる水受け皿と、を含む。収容体には、位置決め部材が設けられる。回転機構には、挿入部が設けられる。挿入部の内縁には、テーパー形状の複数の鋸歯部が設けられる。挿入部の底縁には、伝動部材が設けられる。使用する際、雨傘のロッド先端部を挿入部に挿入し、位置決め部材によって雨傘を位置決めする。次に、伝動部材によって挿入部を高速回転させることにより、雨傘に付着した雨水を遠心力で除去して収容体の底縁の水受け皿に落下させる。これにより、雨天時に雨傘を室外から室内に持って入る際、雨傘に付着した雨水を除去することができ、雨水が床に落下するのを防止することができる。
【０００６】
本考案の雨傘脱水装置の収容体は、２つの対称の半円筒形の本体から構成され、２つの本体の一方の側部が互いに接続され、開閉可能になっている。本体の他方の側部に接触スイッチが設けられることにより、回転機構が回転中に本体を開けると、接触スイッチが検出して伝動部材への電力供給が遮断されるため、安全性を高めることができる。
【０００７】
本考案の雨傘脱水装置の位置決め部材は、スライドロッドに設けられる横ロッドである。横ロッドには、円形枠が設けられる。円形枠には、複数の対称に配列する弾性を有するガイドローラが設けられ、ガイドローラにより、雨傘の支持ロッドが挟持されて位置決めされる。
【考案の効果】
【０００８】
本考案の雨傘脱水装置により、雨傘に付着した雨水を遠心力で除去して収容体の底縁の水受け皿に落下させることができるため、雨天時に雨傘を室外から室内に持って入る際、雨傘に付着した雨水を簡単な操作で除去することができ、雨水が床に落下するのを防止することができる。
【図面の簡単な説明】
【０００９】
【図１】本考案の雨傘脱水装置を示す斜視図である。
【図２】本考案の雨傘脱水装置を示す断面図である。
【図３】本考案の雨傘脱水装置の回転機構を示す断面図である。
【図４】本考案の雨傘脱水装置の使用状態を示す斜視図である。
【図５】本考案の雨傘脱水装置の使用状態を示す断面図である。
【考案を実施するための形態】
【００１０】
図１〜図３を参照する。図１は、本考案の雨傘脱水装置を示す斜視図である。図２は、本考案の雨傘脱水装置を示す断面図である。図３は、本考案の雨傘脱水装置の回転機構を示す断面図である。図１〜図３に示すように、本考案の雨水脱水装置は、円筒形の収容体1と、収容体1内部に設置される回転機構２と、収容体１の底縁に設けられる水受け皿３と、を含む。収容体１は、２つの対称の半円筒形の本体１１,１２から構成される。２つの本体１１,１２は、一方の側部が互いに接続されることにより、開閉可能になっている。本体１１の他方の側部には、接触スイッチ１３が設けられる。収容体１の内縁には、位置決め部材４が設けられる。本実施形態中、位置決め部材４は、スライドロッド４１に設けられる横ロッド４２である。横ロッド４２には、円形枠４３が設けられる。円形枠４３には、複数の対称に配列する弾性を有するガイドローラ４４が設けられる。横ロッド４２は、スライドロッド４１に沿って上下に高さを調整することができる。回転機構２には、挿入部２１が設けられる。挿入部２１の内縁には、テーパー形状の複数の鋸歯部２１１が設けられる。挿入部２１の底縁には、伝動部材２２が設けられる。本実施形態中、伝動部材２２は、モータである。伝動部材２２は、制御回路５に接続される。伝動部材２２及び制御回路５は、底板１４に固定される。底板１４には、複数の間隔をあけて配列する透孔１４１が設けられる。制御回路５には、接触スイッチ１３と、収容体１の本体１１の上縁に設けられるボタン５１及び表示ランプ５２と、が接続される。収容体１の底部には、長方形の開孔１５が設けられ、開孔１５には、水受け皿３が設置される。以上の構造によって本考案の雨傘脱水装置が構成される。
【００１１】
本考案を使用する際、収容体１の２つの対称の半円筒形の本体１１,１２を開き、雨傘のロッド先端部６２を挿入部２１に挿入する。次に、本体１１,１２を閉めた後、位置決め部材４のガイドローラ４４によって雨傘を位置決めする。次に、ボタン４１によって伝動部材２２を起動して挿入部２１を高速回転させる。これにより、雨傘に付着した雨水を遠心力で除去し、収容体１の底縁の水受け皿３に落下させることができる。これにより、雨天時に雨傘を室外から室内に持って入る際、雨傘に付着した雨水を除去することができ、雨水が床に落下するのを防止することができる。
【００１２】
図４は、本考案の雨傘脱水装置の使用状態を示す斜視図である。図５は、本考案の雨傘脱水装置の使用状態を示す断面図である。図１〜〜図５に示すように、本考案を使用する際、収容体１の２つの対称の半円筒形の本体１１,１２を開き、雨傘６の長さに応じて横ロッド４２をスライドロッド４１に沿って上下に移動させて位置決め部材４の高さを調整する。次に、雨傘６のロッド先端部６２を挿入部２１に挿入し、雨傘６の上方の支持ロッド６１を位置決め部材４に設置し、本体１１,１２を閉じる。本体１１,１２を閉じた後、位置決め部材４に設けられるガイドローラ４４が雨傘６の支持ロッド６１を挟持して位置決めする。挿入部２１にテーパー形状の複数の鋸歯部２１１が設けられるため、種類の異なる雨傘６のロッド先端部６２を挿入しても、鋸歯部２１１がロッド先端部６２を挟持することができる。これにより、様々な太さのロッド先端部６２に適用することができる。次に、本体１１,１２を閉じた後、ボタン４１によって伝動部材２２を起動して挿入部２１を高速回転させる。これにより、雨傘に付着した雨水を遠心力で除去し、収容体１の底縁の水受け皿３に落下させることができる。伝動部材２２が挿入部２１を所定時間高速回転させた後、表示ランプ４２が点灯する。このとき、ユーザは、本体１１,１２を開いて脱水が完了した雨傘６を取り出すことができる。これにより、雨天時に雨傘を室外から室内に持って入る際、雨傘に付着した雨水を除去することができ、雨水が床に落下するのを防止することができる。
【００１３】
脱水の過程中、ユーザが本体１１,１２を開けてしまった場合、接触スイッチ１３が信号を検出し、制御回路５が伝動部材２２の動作を即座に停止させることができるため、危険を防止し、安全に使用することができる。
【００１４】
前述の実施形態は、本考案の好適な実施形態を示すものであり、本考案の範囲を限定するものではなく、若干の修飾及び変更は、本考案に含まれる。
【００１５】
上述した内容から分かるように、本考案は、水受け皿が設けられる収容体に高速回転する回転機構及び雨傘を位置決めする位置決め部材が組み合わされて構成される雨傘脱水装置を提供するものである。本考案の雨傘脱水装置により、雨天時に雨傘を室外から室内に持って入る際、雨傘に付着した雨水を簡単な操作で除去することができ、雨水が床に落下しない。これにより、ビニール袋を使用しなくてよいため、環境保護に寄与することができ、実用性が高く、ユニークな考案である。
【符号の説明】
【００１６】
１  収容体
１１  本体
１２  本体
１３  接触スイッチ
１４  底板
１４１  透孔
１５  開孔
２  回転機構
２１  挿入部
２１１  鋸歯部
２２  伝動部材
３  水受け皿
４  位置決め部材
４１  スライドロッド
４２  横ロッド
４３  円形枠
４４  ガイドローラ
５  制御回路
５１  ボタン
５２  表示ランプ
６  雨傘
６１  支持ロッド
６２  ロッド先端部
【図１】
0003192706.tif 000003
【図２】
0003192706.tif 000004
【図３】
0003192706.tif 000005
【図４】
0003192706.tif 000006
【図５】
0003192706.tif 000007